(57)【要約】【課題】冠瓦２２が破損した場合の雨水の棟内部への侵入と、垂木受け具１４の腐食劣化の防止が可能で、かつ屋根土１８の使用量を可及的に少なくできる棟構造１０及びそのような棟構造１０を可能にする棟カバー２１を提供すること。【解決方法】棟の頂部の左右に葺設した桟瓦１７の上に敷設される屋根土１８と、垂木受け具１４と、垂木２０を棟カバー２１によって覆うことにより、冠瓦２２が破損しても雨水の棟内部への浸入を棟カバー２１によって防止する。屋根土１８を桟瓦１７の尻縁部１７ａから棟カバー２１の側板部２１ｅ間に充填し、棟の両側に葺設した桟瓦１７間に屋根土１８の無い空間を形成し、垂木受け具１４が屋根土１８に埋設されないようにする。屋根土１８の量を可及的に少なくできる。また、屋根土１８によって垂木受け具１４が腐食したり、劣化するのを防止できる。【選択図】図１
2010031493.tif 000002
【特許請求の範囲】
【請求項１】
棟の頂部の両側に桟瓦を葺設し、この桟瓦と冠瓦の間に粘土状の屋根土を装填し、前記両側の桟瓦の間に垂木受け具を立設固定し、垂木受け具で支持した垂木に冠瓦を固定した棟構造であって、
棟方向に延びる上面と左右両側面から成り、前記垂木受け具によって支持した垂木を収納する断面略門形の垂木収納部と、垂木収納部の各側面の下端部から垂木収納部の外側へ延びる裾部と、前記桟瓦と裾部の間に充填される屋根土の土留め用に前記裾部の先端から垂設された側板部とを有する棟カバーを備え、
該棟カバーを前記両側の桟瓦の上に敷設して前記垂木収納部に前記垂木受け具で支持した垂木を収納し、
前記屋根土を前記桟瓦の尻縁部から前記棟カバーの側板部間に充填し、
前記両側の桟瓦の間に屋根土の無い空間を形成したことを特徴とする棟構造。
【請求項２】
前記棟の頂部の一方の側に葺設した桟瓦の上の屋根土と他方の側に葺設した桟瓦の上の屋根土中にネットを埋設して該ネットを介して両側の屋根土を連結したことを特徴とする請求項１に記載の棟構造。
【請求項３】
棟の頂部の両側に桟瓦を葺設し、前記両側の桟瓦の間に垂木受け具を立設固定し、垂木受け具で支持した垂木に冠瓦を固定した棟構造であって、
棟方向に延びる上面と左右両側面から成り、前記垂木受け具によって支持した垂木を収納する断面略門形の垂木収納部と、垂木収納部の各側面の下端部から垂木収納部の外側へ延びる裾部と、前記桟瓦と裾部の間に充填される屋根土の土留め用に前記裾部の先端から垂設された側板部とを有する棟カバーを備え、
該棟カバーを前記両側の桟瓦の上に敷設して前記垂木収納部に前記垂木受け具で支持した垂木を収納し、
前記棟カバーの側板部から側板部が当接する桟瓦の表面部分にかけて防水性テープを貼着したことを特徴とする棟構造。
【請求項４】
前記垂木収納部の上面から左右両側面にかけて冠瓦の滑り止め用テープを貼着し、前記冠瓦の裏面を該滑り止め用に当接させたことを特徴とする請求項１又は３に記載の棟構造。
【請求項５】
棟の頂部の両側に葺設される桟瓦の上に敷設される棟カバーであって、棟方向に延びる上面と左右両側面から成り、屋根の棟頂部に立設固定される垂木受け具によって支持される垂木を収納する断面略門形の垂木収納部と、垂木収納部の各側面の下端部から垂木収納部の外側へ延びる裾部と、前記桟瓦と裾部の間に充填される屋根土の土留め用に前記裾部の先端から垂設された側板部とを有することを特徴とする棟カバー。
【請求項６】
前記垂木収納部の上面から左右両側面にかけて冠瓦の滑り止め用テープを貼着したことを特徴とす請求項６に記載の棟カバー。
【発明の詳細な説明】
【技術分野】
【０００１】
本発明は家屋の棟構造及び棟構造に用いられる棟カバーに関する。
【背景技術】
【０００２】
一般に家屋の棟構造は屋根の棟の頂部の両側に葺かれる桟瓦の上に粘土状の屋根土を敷設し、のし瓦を使用する場合は、桟瓦の上にのし瓦を積層し、のし瓦の間にも屋根土を充填し、その上に冠瓦を載置している。
【０００３】
そして、冠瓦は例えば、特開平７−２９１３２号公報に記載されているように、棟の頂部の両側に葺設した桟瓦やのし瓦の間に垂木受け具を立設固定し、同受け具によって支持された垂木に釘等で固定される。
【特許文献１】特開平７−２９１３２号公報
【発明の開示】
【発明が解決しようとする課題】
【０００４】
従来の棟構造は、棟の頂部の両側に葺設した桟瓦の間から雨水が棟内部に浸入するのを防止するため、両側の桟瓦の間に隙間なく屋根土を充填している。そのため多量の屋根土が棟部に積層されることになるので、屋根土を棟部へ運び上げるに多大な労力を要する。また、多量の屋根土で棟部の重量が増大し、家屋の躯体に大きな荷重がかかり、地震時の家屋の耐久性が低下する。
【０００５】
さらにまた、冠瓦が破損した場合、雨水が屋根土に浸透して棟の内部にまで浸入する。
また、棟受け具が屋根土に埋設されるので、腐食したり劣化し、耐久性が低下する。
【０００６】
本発明はかかる問題点に鑑み、冠瓦が破損した場合の雨水の棟内部への侵入と、垂木受け具の腐食劣化の防止が可能で、かつ屋根土の使用量を可及的に少なくできる棟構造及びそのような棟構造を可能にする棟カバーを提供することを目的とする。
【課題を解決するための手段】
【０００７】
請求項１に記載の発明は、棟の頂部の両側に桟瓦を葺設し、この桟瓦と冠瓦の間に粘土状の屋根土を装填し、前記両側の桟瓦の間に垂木受け具を立設固定し、垂木受け具で支持した垂木に冠瓦を固定した棟構造であって、棟方向に延びる上面と左右両側面から成り、前記垂木受け具によって支持した垂木を収納する断面略門形の垂木収納部と、垂木収納部の各側面の下端部から垂木収納部の外側へ延びる裾部と、前記桟瓦と裾部の間に充填される屋根土の土留め用に前記裾部の先端から垂設された側板部とを有する棟カバーを備え、該棟カバーを前記両側の桟瓦の上に敷設して前記垂木収納部に前記垂木受け具で支持した垂木を収納し、前記屋根土を前記桟瓦の尻縁部から前記棟カバーの側板部間に充填し、前記両側の桟瓦の間に屋根土の無い空間を形成したことを特徴とする。
【０００８】
請求項２に記載の発明は請求項１に記載の棟構造において、前記棟の頂部の一方の側に葺設した桟瓦の上の屋根土と他方の側に葺設した桟瓦の上の屋根土中にネットを埋設して該ネットを介して両側の屋根土を連結したことを特徴とする。
【０００９】
請求項３に記載の発明は、棟の頂部の両側に桟瓦を葺設し、前記両側の桟瓦の間に垂木受け具を立設固定し、垂木受け具で支持した垂木に冠瓦を固定した棟構造であって、棟方向に延びる上面と左右両側面から成り、前記垂木受け具によって支持した垂木を収納する断面略門形の垂木収納部と、垂木収納部の各側面の下端部から垂木収納部の外側へ延びる裾部と、前記桟瓦と裾部の間に充填される屋根土の土留め用に前記裾部の先端から垂設された側板部とを有する棟カバーを備え、該棟カバーを前記両側の桟瓦の上に敷設して前記垂木収納部に前記垂木受け具で支持した垂木を収納し、前記棟カバーの側板部から側板部が当接する桟瓦の表面部分にかけて防水性テープを貼着したことを特徴とする。
【００１０】
請求項４に記載の発明は、請求項１又は３に記載の棟構造において、前記垂木収納部の上面から左右両側面にかけて冠瓦の滑り止め用テープを貼着し、前記冠瓦の裏面を該滑り止め用に当接させたことを特徴とする。
【００１１】
請求項５に記載の発明は、棟の頂部の両側に葺設される桟瓦の上に敷設される棟カバーであって、棟方向に延びる上面と左右両側面から成り、屋根の棟頂部に立設固定される垂木受け具によって支持される垂木を収納する断面略門形の垂木収納部と、垂木収納部の各側面の下端部から垂木収納部の外側へ延びる裾部と、前記桟瓦と裾部の間に充填される屋根土の土留め用に前記裾部の先端から垂設された側板部とを有することを特徴とする。
【００１２】
請求項６に記載の発明は請求項５に記載の棟カバーにおいて、前記垂木収納部の上面から左右両側面にかけて冠瓦の滑り止め用テープを貼着したことを特徴とする。
【発明の効果】
【００１３】
請求項１に記載の発明によれば、棟の頂部の左右に葺設した桟瓦の上に敷設される屋根土と、垂木受け具と、垂木が棟カバーによって覆われるので、冠瓦が破損しても雨水の棟内部への浸入が棟カバーによって防止できる。
また、屋根土を桟瓦の尻縁部から棟カバーの側板部間に充填し、棟の両側に葺設した桟瓦間に屋根土の無い空間を形成したので、垂木受け具が屋根土に埋設されない。そのため、屋根土の量を可及的に少なくできるだけでなく、屋根土によって垂木受け具が腐食したり、劣化するのを防止できる。
【００１４】
請求項２に記載の発明によれば、棟の両側の屋根土中にネットを埋設し、このネットを介して両側の屋根土を連結したので、屋根土の崩壊を防止でき、棟の耐久性が向上する。
【００１５】
請求項３に記載の発明によれば、垂木受け具と、垂木が棟カバーによって覆われるので、冠瓦が破損しても雨水の棟内部への浸入が棟カバーによって防止できる。
これに加えて、棟カバーの側板部から側板部が当接する桟瓦の表面部分にかけて防水性テープを貼着したので、屋根土をカバー内部に充填しなくても雨水が棟内部に浸入するのを防止できる。そのため、棟の重量を軽減できるので、棟の耐久性が向上する。
【００１６】
請求項４に記載の発明によれば、冠瓦の施工時に滑り止め用テープによって冠瓦が棟の頂部から滑落するのを防止できるので、施工がし易くなる。
【００１７】
請求項５に記載の棟カバーを用いて請求項１に記載の棟構造を構築することにより、棟の頂部の左右に葺設した桟瓦の上に敷設される屋根土と、垂木受け具と、垂木が棟カバーによって覆われるので、冠瓦が破損しても雨水の棟内部への浸入が棟カバーによって防止できる。
また、屋根土を前記桟瓦の尻縁部から棟カバーの側板部間に充填し、棟の両側に葺設した桟瓦間に屋根土の無い空間を形成したので、垂木受け具が屋根土に埋設されない。そのため、屋根土の量を可及的に少なくできるだけでなく、屋根土によって垂木受け具が腐食したり、劣化するのを防止できる。
【００１８】
請求項６に記載の棟カバーによれば、冠瓦の施工時に滑り止め用テープによって冠瓦が棟の頂部から滑落するのを防止できるので、施工がし易くなる。
【実施例】
【００１９】
以下に本発明の実施例を図面に基づき説明する。図１及び図２には本発明の一実施例に係る棟構造が示されている。当該棟構造１０では、棟梁１１の両側に下り勾配の屋根梁１２が架設され、屋根梁１２に野地板１３が張設されている。
【００２０】
野地板１３の頂部に、垂木受け金具１４が立設され、釘１５で固定されている。また、野地板１３の頂部の両側に断面矩形の木製瓦桟１６が取り付けられている。そして、野地板１３の頂部の両側に桟瓦１７が葺設されている。これら棟の頂部の両側に葺設した桟瓦１７はその尻部１７ａの裏面に凸設された掛止片１７ｂが瓦桟１６に掛止されている。
【００２１】
棟の頂部の左右両側の桟瓦１７の上には粘土状１８の屋根土が盛られている。この屋根土１８にはネット１９が埋設され、左右の屋根土１８がネット１９を介して連結されている。このネットは屋根土に埋設しても腐食したり劣化しない材質が用いられている。
【００２２】
棟の頂部に立設した垂木受け金具１４の上端部に垂木２０が支持され、棟方向に延びている。そして、左右の屋根土１８と垂木２０を覆うように棟カバー２１が設置され、冠瓦２２が棟カバー２１を貫通する釘２３で垂木２０に固定されている。
【００２３】
図３に示すように、垂木受け金具１４は鉄等の金属製で、一本の脚片１４ａと、脚片１４ａの下端部から左右に下り勾配で延びる一対の足片１４ｂと、脚片１４ａの上端部に一体に設けられた凹形の垂木受け部１４ｃとを備えている。垂木受け金具１４は足片１４ｂを釘１５で野地板１３に固定することにより棟の頂部に立設固定される。そして、垂木受け部１４ｃに垂木２０を嵌合することにより垂木２０が支持される。この垂木受け金具１４は棟方向に沿って一定間隔で立設される。
【００２４】
図４に示すように、棟カバー２１は板金製品もしくはプラスチック成形品で、棟方向に延びる長尺形状を有し、その長さは１８２０ｍｍ（６尺）に定められている。この棟カバー２１は棟方向に延びる上面２１ａと左右両側面２１ｂからなり、垂木受け具１４の垂木受け部１４ｃによって支持される垂木２０を収納できる断面略門形の垂木収納部２１ｃを備えている。そして、垂木収納部２１ｃの各側面２１ｂの下端部から垂木収納部２１ｃの外側へ延びる裾部２１ｄと、裾部２１ｄの先端から垂設された側板部２１ｅとを有する
【００２５】
図１に示すように、屋根土１８は桟瓦１７の尻部１７ａの端縁と側板部２１ｅ間に充填され、側板部２１ｅによって土留めされている。このように屋根土１８は桟瓦１７の尻側１７ａの表面に積層されるだけで、左右の桟瓦１７の間、すなわち垂木受け金具１４が立設されている空間には充填されていない。こうして、棟の頂部の両側に葺設した桟瓦１７間に屋根土１８の無い空間が形成されている。
【００２６】
本実施例に係る棟構造１０は以上の通りであって、棟の頂部の左右に葺設した桟瓦１７の上に敷設される屋根土１８と、垂木受け具１４と、垂木２０が棟カバー２１によって覆われるので、冠瓦２２が破損しても雨水の棟内部への浸入が棟カバー２１によって防止できる。
【００２７】
また、屋根土１８を桟瓦１７の尻縁部１７ａから棟カバー２１の側板部２１ｅ間に充填し、棟の両側に葺設した桟瓦１７間に屋根土１８の無い空間を形成したので、垂木受け具１４が屋根土１８に埋設されない。そのため、屋根土１８の量を可及的に少なくできるだけでなく、屋根土１８によって垂木受け具１４が腐食したり、劣化するのを防止できる。
【００２８】
さらにまた、棟の両側の屋根土１８中にネット１９を埋設し、このネットを介して両側の屋根土１８を連結したので、屋根土１８の崩壊を防止でき、棟の耐久性が向上する。
【００２９】
本発明の第２の実施例に係る棟構造３０を図５に示す。第１実施例に係る棟構造１０では棟の頂部の両側の桟瓦１７の上に屋根土１８を敷設しているが、第２実施例の棟構造３０では屋根土１８を用いず、それに代えて棟カバー２１の側板部２１ｅから側板部２１ｅが当接する桟瓦１７の表面部分にかけて防水性ゴムテープ３１を貼着している。
【００３０】
また、図６に示すように、棟カバー２１には、垂木収納部２１ｃの上面２１ａから左右両側面２１ｂにかけて冠瓦２２の滑り止め用テープ３２が貼着され、冠瓦２２はその裏面が該滑り止め用テープ３２に当接するように棟カバー２１に載置されている。第２実施例に係る棟構造３０の他の構成は第１実施例に係る棟構造１０と同じであるので、同一の構成要素に同一の符号を付して説明を省略する。
【００３１】
第２実施例に係る棟構造３０によれば、第１実施例に係る棟構造１０と同様に、垂木受け具１４と、垂木２０が棟カバー２１によって覆われるので、冠瓦２２が破損しても雨水の棟内部への浸入が棟カバー２１によって防止できる。
また、棟カバー２１の側板部２１ｅから側板部２１ｅが当接する桟瓦１７の表面部分にかけて防水性ゴムテープ３１を貼着したので、屋根土１８をカバー２１の内部に充填しなくても雨水が棟内部に浸入するのを防止できる。そのため、棟の重量を軽減できるので、棟の耐久性が向上する。
【００３２】
さらにまた、冠瓦２２の施工時に滑り止め用テープ３２によって冠瓦２２が棟の頂部から滑落するのを防止できるので、施工がし易くなる。
【図面の簡単な説明】
【００３３】
【図１】本発明の第１実施例に係る棟構造を示す断面図である。
【図２】同棟構造を示す一部破断した斜視図である。
【図３】同棟構造に用いられる垂木受け金具を示す斜視図である。
【図４】同棟構造に用いられる棟カバーを示す斜視図である
【図５】本発明の第２実施例に係る棟構造を示す断面図である。
【図６】同棟構造に用いられる棟カバーの一部を示す斜視図である。
【符号の説明】
【００３４】
１０…棟構造
１４…垂木受け金具
１７…桟瓦
１８…屋根土
１９…ネット
２０…垂木
２１…棟カバー
２１ａ…上面
２１ｂ…側面
２１ｃ…垂木収納部
２１ｄ…裾部
２１ｅ…側板部
２２…冠瓦
３０…棟構造
３１…防水性ゴムテープ
３２…滑り止め用テープ 
【図１】
2010031493.tif 000003
【図２】
2010031493.tif 000004
【図３】
2010031493.tif 000005
【図４】
2010031493.tif 000006
【図５】
2010031493.tif 000007
【図６】
2010031493.tif 000008